(57)【特許請求の範囲】
【請求項１】
光情報記録媒体のアドレス情報と記録再生するための制御情報をプリフォーマット情報としてあらかじめ基板に形成した光情報記録媒体であって、前記制御情報がプリピット列パターンとして記録されており、尚且つそのプリピット列が所定周波数を有する基準信号に前記アドレス情報と制御情報とが合成された信号に基づいて蛇行状にウォブルされている構成の光情報記録媒体において、
データを記録するためのプリグルーブ（案内溝）と前記プリピット列の両方を合わせ持つ場合、該プリグルーブが前記プリピット列と同じように所定周波数を有する基準信号に前記アドレス情報が合成された信号に基づいて蛇行状にウォブルされていて、ウォブルとして重畳されたアドレス情報がプリピット列とプリグルーブの間で連続していて、尚且つプリピット列パターンとして記録されたアドレス情報とウォブルとしてプリピット列に重畳されたアドレス情報が等しいことを特徴とする光情報記録媒体。
【請求項２】
請求項１記載の光情報記録媒体において、プリピット列のウォブル振幅がプリグルーブのウォブル振幅よりも大きいことを特徴とする光情報記録媒体。
【請求項３】
光情報記録媒体のアドレス情報と記録再生するための制御情報をプリフォーマット情報としてあらかじめ基板に形成した光情報記録媒体であって、前記制御情報がプリピット列パターンとして記録されており、尚且つそのプリピット列が所定周波数を有する基準信号に前記アドレス情報と制御情報とが合成された信号に基づいて蛇行状にウォブルされている構成であり、プリフォーマット情報が記録されたプリピット列のトラックピッチがプリグルーブのトラックピッチよりも広い構成とした光情報記録媒体において、
プリグルーブからプリピット列に切り換わる場合、この切り換わり部分のトラックピッチが徐々に増加してプリピット列のトラックピッチと同じになり、プリピット列からプリグルーブに切り換わる場合、この切り換わり部分のトラックピッチが徐々に減少してプリグルーブのトラックピッチと同じになることを特徴とする光情報記録媒体。
【請求項４】
光情報記録媒体のアドレス情報と記録再生するための制御情報をプリフォーマット情報としてあらかじめ基板に形成した光情報記録媒体であって、前記制御情報がプリピット列パターンとして記録されており、尚且つそのプリピット列が所定周波数を有する基準信号に前記アドレス情報と制御情報とが合成された信号に基づいて蛇行状にウォブルされている構成であり、プリフォーマット情報が記録されたプリピット列のトラックピッチがプリグルーブのトラックピッチよりも広い構成とした光情報記録媒体において、
トラックピッチが切り換わる領域のアドレス情報がインクリメントせず、固定であることを特徴とする光情報記録媒体。
【請求項５】
光情報記録媒体のアドレス情報と記録再生するための制御情報をプリフォーマット情報としてあらかじめ基板に形成した光情報記録媒体であって、前記制御情報がプリピット列パターンとして記録されており、尚且つそのプリピット列が所定周波数を有する基準信号に前記アドレス情報と制御情報とが合成された信号に基づいて蛇行状にウォブルされている構成であり、制御情報領域のプリピット列の記録線密度がプリグルーブに記録される情報よりも記録線密度が低い構成とした光情報記録媒体において、
プリグルーブからプリピット列に切り換わる場合、この切り換わり部分のプリピット列の記録線密度が徐々に減少して所定の記録線密度になり、プリピット列からプリグルーブに切り換わる場合、この切り換わり部分の記録線密度が徐々に増加してプリグルーブに記録される情報の記録線密度と同じになることを特徴とする光情報記録媒体。
【請求項６】
光情報記録媒体のアドレス情報と記録再生するための制御情報をプリフォーマット情報としてあらかじめ基板に形成した光情報記録媒体であって、前記制御情報がプリピット列パターンとして記録されており、尚且つそのプリピット列が所定周波数を有する基準信号に前記アドレス情報と制御情報とが合成された信号に基づいて蛇行状にウォブルされている構成であり、制御情報領域のプリピット列の記録線密度がプリグルーブに記録される情報よりも記録線密度が低い構成とした光情報記録媒体において、
プリピット列が所定周波数を有する基準信号に基づいて蛇行状にウォブルされている場合、プリピット列の記録線密度の変化に合わせてウォブルの基準信号の周波数が変化することを特徴とする光情報記録媒体。
【請求項７】
光情報記録媒体のアドレス情報と記録再生するための制御情報をプリフォーマット情報としてあらかじめ基板に形成した光情報記録媒体であって、前記制御情報がプリピット列パターンとして記録されており、尚且つそのプリピット列が所定周波数を有する基準信号に前記アドレス情報と制御情報とが合成された信号に基づいて蛇行状にウォブルされている構成であり、制御情報領域のプリピット列の記録線密度がプリグルーブに記録される情報よりも記録線密度が低い構成とした光情報記録媒体において、
プリピット列の記録線密度が切り換わる領域のアドレス情報がインクリメントせず、固定であることを特徴とする光情報記録媒体。
【請求項８】
光情報記録媒体のアドレス情報と記録再生するための制御情報をプリフォーマット情報としてあらかじめ基板に形成した光情報記録媒体であって、前記制御情報がプリピット列パターンとして記録されており、尚且つそのプリピット列が所定周波数を有する基準信号に前記アドレス情報と制御情報とが合成された信号に基づいて蛇行状にウォブルされている構成であり、プリフォーマット情報が記録されたプリピット列のトラックピッチがプリグルーブのトラックピッチよりも広く、尚且つプリピット列の記録線密度がプリグルーブに記録される情報よりも記録線密度が低い構成とした光情報記録媒体において、
プリグルーブからプリピット列に切り換わる場合、この切り換わり部分のプリピット列のトラックピッチが徐々に増加し、尚且つ記録線密度が徐々に減少して所定の記録線密度になり、プリピット列からプリグルーブに切り換わる場合、この切り換わり部分のトラックピッチが徐々に低下し、尚且つ記録線密度が徐々に増加してプリグルーブに記録される情報の記録線密度と同じになることを特徴とする光情報記録媒体。
【請求項９】
光情報記録媒体のアドレス情報と記録再生するための制御情報をプリフォーマット情報としてあらかじめ基板に形成した光情報記録媒体であって、前記制御情報がプリピット列パターンとして記録されており、尚且つそのプリピット列が所定周波数を有する基準信号に前記アドレス情報と制御情報とが合成された信号に基づいて蛇行状にウォブルされている構成であり、プリフォーマット情報が記録されたプリピット列のトラックピッチがプリグルーブのトラックピッチよりも広く、尚且つプリピット列の記録線密度がプリグルーブに記録される情報よりも記録線密度が低い構成とした光情報記録媒体において、
プリピット列のトラックピッチと記録線密度が切り換わる領域のアドレス情報がインクリメントせず、固定であることを特徴とする光情報記録媒体。
【請求項１０】
請求項３記載の光情報記録媒体において、トラックピッチが切り換わる領域のアドレス情報がインクリメントせず、固定であることを特徴とする光情報記録媒体。
【請求項１１】
請求項５記載の光情報記録媒体において、プリピット列が所定周波数を有する基準信号に基づいて蛇行状にウォブルされている場合、プリピット列の記録線密度の変化に合わせてウォブルの基準信号の周波数が変化することを特徴とする光情報記録媒体。
【請求項１２】
請求項５記載の光情報記録媒体において、プリピット列の記録線密度が切り換わる領域のアドレス情報がインクリメントせず、固定であることを特徴とする光情報記録媒体。
【請求項１３】
請求項８記載の光情報記録媒体において、プリピット列のトラックピッチと記録線密度が切り換わる領域のアドレス情報がインクリメントせず、固定であることを特徴とする光情報記録媒体。
【請求項１４】
請求項５または８記載の光情報記録媒体の製造時における原盤露光方法であって、光情報記録媒体のプリピット列が所定周波数を有する基準信号に基づいて蛇行状にウォブルされている場合、プリピット列の記録線密度の変化に合わせてこの基準信号の周波数を変化させる手段として、原盤露光時に前記基準信号の周波数を固定し、露光線速度を変化させることを特徴とする光情報記録媒体の原盤露光方法。
【請求項１５】
請求項５または８記載の光情報記録媒体の製造時における原盤露光方法であって、光情報記録媒体のプリピット列が所定周波数を有する基準信号に基づいて蛇行状にウォブルされている場合、プリピット列の記録線密度の変化に合わせてこの基準信号の周波数を変化させる手段として、原盤露光時に前記基準信号の周波数をプリピット列の記録線密度に合わせて変化させ、露光線速度を固定することを特徴とする光情報記録媒体の原盤露光方法。
【発明の詳細な説明】
【０００１】
【発明の属する技術分野】
本発明は、光ディスク、光カード等の光情報記録媒体、特にプリフォーマット情報がプリピット及びプリグルーブに重畳された光情報記録媒体、及びその原盤露光方法に関する。
【０００２】
【従来の技術】
近年、読み出し専用のコンパクトディスク（ＣＤ）等の光情報記録媒体に加えて、記録可能なＣＤ（ＣＤ−ＲやＣＤ−Ｅ）が実用化されているが、ＣＤ−ＲやＣＤ−Ｅは、追記後、読み出し専用のＣＤと互換性（ＣＤプレーヤで再生が可能）を有している。ＣＤ−ＲやＣＤ−Ｅの特徴は、特開平６−７６３６３号公報に開示されているように、案内溝（プリグルーブ）が所定周波数を有する基準信号とプリフォーマット情報（アドレス情報）が合成された信号に基づいて、図１６に示すように蛇行状にウォブルされている点である。記録ドライブでは、プリフォーマット情報を特開平７−１６９０５２号公報に開示されているような再生手段によって復調し、このプリフォーマット情報に基づいて記録再生を行う。ここで、図１４に従来の読み出し専用のＣＤの構成例、図１５に従来の記録可能なＣＤ−ＲやＣＤ−Ｅの構成例を示すが、ＣＤ−ＲやＣＤ−Ｅでは、図１４に示すＣＤの場合のＴＯＣ（Ｔａｂｌｅ  ｏｆ  ｃｏｎｔｅｎｔｓ）に相当する場所（図１５のＬｉｎ）に、スペシャルインフォメーションと呼ばれる記録再生に関する制御情報が記録されている。ＣＤ−ＲやＣＤ−Ｅを追記した時、記録ドライブは同時にＴＯＣ情報を記録することにより、ＣＤプレーヤでの再生が可能となる。また、ＣＤ−ＲやＣＤ−ＥではＰＣＡ（Ｐｏｗｅｒ  ｃａｌｉｂｒａｔｉｏｎ  ａｒｅａ）とＰＭＡ（Ｐｒｏｇｒａｍ  ｍｅｍｏｒｙ  ａｒｅａ）と呼ばれる領域がある。ＰＣＡは記録ドライブで試し記録をするための領域であり、ＰＭＡは光情報記録媒体のメモリ使用状況を記録するための領域である。
【０００３】
前記プリフォーマット情報は記録データ情報よりも低い周波数を有する基準信号と合成されている。このため、図１７に示す信号検出回路のように、基準信号の周波数よりも高いハイパスフィルタ（ＨＰＦ）をＥＦＭ復調器の前段に設ければ、ＲＦ信号から検出される追記された情報は、基準信号の影響を受けずに再生することができる。また、プッシュプル（Ｐｕｓｈ−ｐｕｌｌ  ）信号から検出されるプリフォーマット情報の再生では、基準信号の周波数に合わせたバンドパスフィルタ（ＢＰＦ）をＦＭ復調器の前段に設ければ、逆にデータ信号の影響を受けずに再生することができる。一般的に蛇行状にウォブルする基準信号の周波数は数十キロヘルツ、記録データ信号の最小ビットは数メガヘルツである。
【０００４】
【発明が解決しようとする課題】
前記従来技術で述べたＣＤ−ＲやＣＤ−Ｅの記録再生方式には以下のような欠点がある。
▲１▼光ディスクには、読み取り専用のＲＯＭと記録可能なＲＡＭとが存在する。ＲＡＭであるＣＤ−ＲやＣＤ−Ｅは、記録後、ＲＯＭプレーヤ（再生専用ドライブ）で信号再生できる光ディスクである。従来技術で述べたように、ＣＤ−ＲやＣＤ−Ｅの記録再生ドライブでは、プリグルーブに重畳されたプリフォーマット情報を基に記録再生を行う。このため、誤って未記録のＲＡＭディスクをＲＯＭプレーヤにローディングすると、プリピット列の情報を信号再生するだけのＲＯＭプレーヤではＲＡＭディスクを再生することができず、認識すらできないという問題がある。
【０００５】
▲２▼現在、ＣＤよりも大容量の光ディスクが検討されているが、大容量化するためにはトラックピッチを小さくし、ビットサイズを短くする必要がある。大容量光ディスク用のプレーヤでは、ビームスポット径を小さくするためにＣＤ系で使用されている波長７８０ｎｍ、ＮＡ＝０．５の光ピックアップよりも短波長、高ＮＡ（波長６３５〜６８５ｎｍ、ＮＡ＝０．６程度）の光ピックアップが採用される。このようにトラックピッチが狭くビットサイズが小さい大容量光ディスクを、ＣＤ系のＲＯＭプレーヤやＲＡＭプレーヤ（記録再生ドライブ）にローディングしても、ビームスポット径が大きいために信号再生をすることができないという問題がある。
【０００６】
本発明は上記事情に鑑みなされたものであって、従来方式の問題点を解決すべく、その目的は以下の通りである。
本発明の目的は、前記▲１▼の問題を解決すべく、プリフォーマット情報を正確に再生することができる光情報記録媒体を提供することである。
また、本発明の目的は、前記▲２▼の問題を解決すべく、プリフォーマット情報を正確に再生することができる光情報記録媒体を提供することである。
さらに本発明の目的は、前記▲２▼の問題を解決すべく、プリフォーマット情報を正確に再生することができる光情報記録媒体を提供すること、及び光情報記録媒体のスタンパ原盤露光手段を容易にすることである。
さらに本発明の目的は、本発明の光情報記録媒体のスタンパ原盤露光手段を容易にする原盤露光方法を提供することである。
【０００７】
【課題を解決するための手段】
上記目的を達成するため、本発明では、以下のような構成を特徴とするものである。
（１）．光情報記録媒体のアドレス情報と記録再生するための制御情報をプリフォーマット情報としてあらかじめ基板に形成した光情報記録媒体において、前記制御情報がプリピット列パターンとして記録されており、尚且つそのプリピット列が所定周波数を有する基準信号に前記アドレス情報と制御情報とが合成された信号に基づいて蛇行状にウォブルされている構成とした。
【０００８】
（２）．（１）に記載の光情報記録媒体において、データを記録するためのプリグルーブ（案内溝）と前記プリピット列の両方を合わせ持つ場合、該プリグルーブが前記プリピット列と同じように所定周波数を有する基準信号に前記アドレス情報が合成された信号に基づいて蛇行状にウォブルされていて、ウォブルとして重畳されたアドレス情報がプリピット列とプリグルーブの間で連続していて、尚且つプリピット列パターンとして記録されたアドレス情報とウォブルとしてプリピット列に重畳されたアドレス情報が等しい構成とした（請求項１）。
（３）．（２）に記載の光情報記録媒体において、プリピット列のウォブル振幅がプリグルーブのウォブル振幅よりも大きい構成とした（請求項２）。
【０００９】
（４）．（１）に記載の光情報記録媒体において、プリフォーマット情報が記録されたプリピット列のトラックピッチがプリグルーブのトラックピッチよりも広い構成とした。
（５）．（４）に記載の光情報記録媒体において、プリグルーブからプリピット列に切り換わる場合、この切り換わり部分のトラックピッチが徐々に増加してプリピット列のトラックピッチと同じになり、プリピット列からプリグルーブに切り換わる場合、この切り換わり部分のトラックピッチが徐々に減少してプリグルーブのトラックピッチと同じになる構成とした（請求項３）。
（６）．（４）または（５）に記載の光情報記録媒体において、トラックピッチが切り換わる領域のアドレス情報がインクリメントせず、固定である構成とした（請求項４または１０）。
【００１０】
（７）．（１）に記載の光情報記録媒体において、制御情報領域のプリピット列の記録線密度がプリグルーブに記録される情報よりも記録線密度が低い構成とした。
（８）．（７）に記載の光情報記録媒体において、プリグルーブからプリピット列に切り換わる場合、この切り換わり部分のプリピット列の記録線密度が徐々に減少して所定の記録線密度になり、プリピット列からプリグルーブに切り換わる場合、この切り換わり部分の記録線密度が徐々に増加してプリグルーブに記録される情報の記録線密度と同じになる構成とした（請求項５）。
（９）．（７）または（８）に記載の光情報記録媒体において、プリピット列が所定周波数を有する基準信号に基づいて蛇行状にウォブルされている場合、プリピット列の記録線密度の変化に合わせてウォブルの基準信号の周波数が変化する構成とした（請求項６または１１）。
（１０）．（７）または（８）に記載の光情報記録媒体において、プリピット列の記録線密度が切り換わる領域のアドレス情報がインクリメントせず、固定である構成とした（請求項７または１２）。
【００１１】
（１１）．（１）に記載の光情報記録媒体において、プリフォーマット情報が記録されたプリピット列のトラックピッチがプリグルーブのトラックピッチよりも広く、尚且つプリピット列の記録線密度がプリグルーブに記録される情報よりも記録線密度が低い構成とした。
（１２）．（１１）に記載の光情報記録媒体において、プリグルーブからプリピット列に切り換わる場合、この切り換わり部分のプリピット列のトラックピッチが徐々に増加し、尚且つ記録線密度が徐々に減少して所定の記録線密度になり、プリピット列からプリグルーブに切り換わる場合、この切り換わり部分のトラックピッチが徐々に低下し、尚且つ記録線密度が徐々に増加してプリグルーブに記録される情報の記録線密度と同じになる構成とした（請求項８）。
（１３）．（１１）または（１２）に記載の光情報記録媒体において、プリピット列のトラックピッチと記録線密度が切り換わる領域のアドレス情報がインクリメントせず、固定である構成とした（請求項９または１３）。
【００１２】
（１４）．（８）または（１２）に記載の光情報記録媒体の製造時における原盤露光方法であって、光情報記録媒体のプリピット列が所定周波数を有する基準信号に基づいて蛇行状にウォブルされている場合、プリピット列の記録線密度の変化に合わせてこの基準信号の周波数を変化させる手段として、原盤露光時に前記基準信号の周波数を固定し、露光線速度を変化させるようにした（請求項１４）。
【００１３】
（１５）．（８）または（１２）に記載の光情報記録媒体の製造時における原盤露光方法であって、光情報記録媒体のプリピット列が所定周波数を有する基準信号に基づいて蛇行状にウォブルされている場合、プリピット列の記録線密度の変化に合わせてこの基準信号の周波数を変化させる手段として、原盤露光時に前記基準信号の周波数をプリピット列の記録線密度に合わせて変化させ、露光線速度を固定するようにした（請求項１５）。
【００１４】
【発明の実施の形態】
以下、本発明の実施の形態を図面を参照して詳細に説明する。まず、本発明による光情報記録媒体の構成例及び製造方法について説明する。
【００１５】
（構成▲１▼）
図１は本発明に係る円盤状の光情報記録媒体（光ディスク）のフォーマット及びプリピット列とプリグルーブ（及びプリグルーブに記録された記録ピット）の構成説明図である。図１において、光情報記録媒体１には円周に沿って螺旋状の記録トラックが設けられ、内周側から外周側に向けて順にＰＣＡ、ＰＭＡ、Ｌｉｎ、プログラムエリア（Ｐｒｏｇｒａｍ  Ａｒｅａ）、Ｌｏｕｔの各領域に分けられている。光情報記録媒体１のＬｉｎ領域にはアドレス情報と記録再生に必要な制御情報（推奨記録パワー、記録可能なアドレス範囲、記録ストラテジ条件、媒体の種類など）がプリピット列として記録されている。また、このプリピット列はプリグルーブと同じように所定周波数を有する基準信号に前記アドレス情報と制御情報とが合成された信号に基づいて蛇行状にウォブルされている（図５〜７参照）。プログラムエリアはプリグルーブで構成されており、データを記録することが可能な領域である。光情報記録媒体１上のプリピット列とプリグルーブは螺旋状に配列されていて、プリグルーブに重畳されたアドレス情報は連続している。また、プリピット列を蛇行させることにより重畳されたプリフォーマット情報とプリピット列のパターンで記録されたプリフォーマット情報は互いに等価の情報が含まれており、勿論アドレス情報も同じアドレス数値を持っている。このような光情報記録媒体のプリピット列とプリグルーブの構造にすれば、プリピット列のパターンからプリフォーマット情報を再生する場合でも、プリグルーブ及びプリピット列を蛇行することにより重畳されたプリフォーマット情報を再生する場合のどちらでも、光情報記録媒体１のプリフォーマット情報を再生することが可能となる。
【００１６】
（構成▲２▼）
図１に示す光情報記録媒体１においては、プリグルーブに重畳されたプリフォーマット情報と、プリピット列として記録されたプリフォーマット情報は異なる変調構造を有している。プリグルーブの場合、所定周波数にＦＭ変調をかけてプリフォーマット情報のコードデータが記録され、プリピット列の場合、ＥＦＭ変調をかけてプリフォーマット情報のコードデータが記録されている。ここで、ＦＭ変調の基準周波数は数十キロヘルツで、ＥＦＭ変調の基準周波数は数メガヘルツである。このためプリグルーブとプリピット列ではフレームと呼ばれるデータの集まりの最小単位の長さが異なるため、各アドレスの割付は図２で示すような構造を取っている。図２では、プリグルーブとプリピット列を蛇行させて重畳されたプリフォーマット情報での１フレームが、プリピット列のパターンで記録されたプリフォーマット情報のｍ個のフレームに相当している。プリピット列のパターンで記録されたプリフォーマット情報のアドレスは、プリグルーブとプリピット列を蛇行させて重畳されたプリフォーマット情報のアドレスとプリピット列のパターンで記録されたプリフォーマット情報のアドレスの組み合わせにより表現される。
【００１７】
（構成▲３▼）
図１７に示した信号検出回路のように、プリグルーブに重畳されたプリフォーマット信号は光情報記録媒体１からの反射光を２分割のフォトダイオード（ＰＤ）で受光し、これを光電変換することにより信号再生する。プリフォーマット信号の再生に使う信号は前記フォトダイオード（ＰＤ）の差信号であるプッシュプル（Ｐｕｓｈ−ｐｕｌｌ  ）信号であり、ＦＭ復調器の前段に設けられたバンドパスフィルタ（ＢＰＦ）でプリピット列の信号成分（高周波成分）が除去される。図３は、蛇行状にウォブルしたプリグルーブとプリピット列から信号再生されたプリフォーマット情報の信号の様子である（以降この信号をウォブル信号と呼ぶ）。プリピットが無い、つまりプリグルーブの場合は、図３の一点鎖線で示すウォブル信号（Ｉｗ１）となるが、プリピット列が存在する場合は、プリピットの回折の影響によりフォトダイオード（ＰＤ）で受光される光量が減り、図３の細線で示す波形となる。そこでバンドパスフィルタ（ＢＰＦ）によりこのプリピット列の高周波成分を除去すると、図３の太線で示すウォブル信号（Ｉｗ２）となり、プリグルーブだけの場合と比較するとウォブル信号の大きさが低下する。このため、プリピット列の場合の方が、プリグルーブに比べ蛇行させることにより重畳されたプリフォーマット信号を再生しにくくなる。この問題を解決するためには、プリピット列のウォブル振幅（蛇行溝の振幅）をプリグルーブに比べて大きくすればよい。図４にウォブル振幅（ＷＢ）とウォブル信号の大きさ（Ｉｗ）の関係を示す。この関係から、プリピット列のウォブル振幅ＷＢ２を、
ＷＢ２＝ＷＢ１×（Ｉｗ１／Ｉｗ２）
（但し、ＷＢ１はプリグルーブのウォブル振幅）
に設定すれば、プリピット列のウォブル信号をプリグルーブの大きさと同じにすることができる。
【００１８】
（構成▲４▼）
光情報記録媒体では、記憶容量を高めるためにトラックピッチを狭く、ビットの長さを小さくする（線密度を高める）手法が取られる。また、従来方式の問題点のところで説明したように光情報記録媒体の大容量化に伴い、記録再生するためのビームスポットサイズも小径化する。光情報記録媒体の記録再生を安定に行うためには、少なくともトラックピッチよりも小さいビームスポット径が必要となる。ビームスポットサイズが大容量化（小径化）されていないプレーヤで大容量化された光情報記録媒体を記録再生することができないため、このようなプレーヤでは、光情報記録媒体のプリフォーマット情報から光情報記録媒体の認識ができない。そこで、大容量化された光情報記録媒体にも部分的にビームスポットサイズが大きいプレーヤでも再生できる領域を設け、この部分に光情報記録媒体の制御情報を含むプリフォーマット情報を記録すれば、大容量化されていないプレーヤでも大容量化された光情報記録媒体の認識が可能となる。本発明では、この制御信号を含む領域のトラックピッチを広げ、ビームスポットサイズが大きいプレーヤでも再生することを可能にした。本発明の光情報記録媒体の物理的フォーマットの構成例を図５に示す。図５に示すように、蛇行したプリピット列領域のトラックピッチ（ＴＰ２）はプリグルーブのトラックピッチ（ＴＰ１）に比べてトラックピッチを広くしている。また、前記構成▲３▼で説明したように、プリピット列のウォブル振幅（ＷＢ２）もプリグルーブ領域のウォブル振幅（ＷＢ１）に比べて大きくしてある。
【００１９】
（構成▲５▼）
前記構成▲４▼では、プリピット列領域のトラック方向の密度を下げて（トラックピッチを広くして）ビームスポットサイズが大きいプレーヤでも光情報記録媒体のプリフォーマット情報を再生しやすくしたが、プリピット列領域の記録線密度（図１に示す円盤状の光情報記録媒体では円周方向の密度）を下げることでも、同じ効果が得られる。図６にプリピット列領域の記録線密度を下げた構成の光情報記録媒体の物理的フォーマットの構成例を示す。プリピット列の最小ピットのビットサイズ（ＢＬ２）はプリグルーブに記録される最小ピットのビットサイズ（ＢＬ１）よりもビットが長く、しかもピット間の間隔も広い。このため、大きいビームスポットでも再生がしやすい。また、前記構成▲３▼で説明したように、プリピット列のウォブル振幅（ＷＢ２）もプリグルーブ領域のウォブル振幅（ＷＢ１）に比べて大きくしてある。この効果により、ビームスポットサイズが大きいプレーヤでも光情報記録媒体のプリフォーマット情報を再生しやすくなる。
【００２０】
（構成▲６▼）
光情報記録媒体が、図５に示したプリピット列領域のトラックピッチを広くした構成、そして図６に示したプリピット列領域の記録線密度を下げた構成の両方を備えた構成（構成▲４▼と構成▲５▼を組み合わせた構成）にすれば、さらにプリフォーマット情報が再生しやすくなり、高い効果が得られることは明白である。図７にプリピット列領域のトラックピッチを広くし、尚且つプリピット列領域の記録線密度を下げた構成の光情報記録媒体の物理的フォーマットの構成例を示す。
【００２１】
（構成▲７▼）
次に、図８は光情報記録媒体を実際に製造する際の基板成型用金型（以降、スタンパと呼ぶ）の製造工程を示すフロー図である。以下、図８に沿ってスタンパの製造工程を説明する。
１．まず、円盤状のガラス基板２ａにフォトレジスト２ｂをスピンコートする（以降、ガラス基板２ａにフォトレジスト２ｂを塗布したものをレジスト原盤２と呼ぶ）。このフォトレジスト２ｂの膜厚は、ガラス基板２ａに形成するプリピットやプリグルーブの溝深さと等しい。
２．次に、このレジスト原盤２をＡｒガスレーザを用いた原盤露光機でカッティングする。図９に原盤露光機の構成を簡単に示す。原盤露光機５によるカッティングは、図９に示すように、レジスト原盤２を横送り機構のキャリッジ７に搭載されたターンテーブル６に載せ、ターンテーブル６によりレジスト原盤２を回転させ、キャリッジ７で横に送りながらＡｒガスレーザを対物レンズ１０で集光させて露光する。このように露光することで、溝はスパイラル状に形成できる。また、原盤露光機５には、プリピット列を形成するためにレーザ寸断するためのパルス変調器８と、プリピット列とプリグルーブを蛇行状にウォブルするためのウォブル偏向器９が、Ａｒガスレーザの光軸上に備わっている。このような原盤露光機５でレジスト原盤２に溝の潜像を形成する。
３．レジスト原盤２に潜像を形成した後、現像をすることでレジスト原盤２に溝のパターンを形成することができる。
４．次に、レジスト原盤２上に導電皮膜としてＮｉ膜３をスパッタする。
５．Ｎｉ膜３のスパッタ後、Ｎｉ電鋳処理を施す。
６．この電鋳されたもの３’を剥離・洗浄・裏面研磨・内外径加工することで、表面に溝パターンを有するスタンパ４が完成する。
【００２２】
本発明のスタンパ（前述の▲４▼と▲５▼と▲６▼の構成）を製造する際に問題になるのが、トラックピッチが切り換わる部分である。一般に原盤露光機５のターンテーブル６の回転数と、トラックピッチの大きさを決めるキャリッジ７の横送りスピードを瞬時に変更することは困難である。これは、レジスト原盤２をチャッキングするターンテーブル６の重さによる慣性の影響が大きいためである。そこで、トラックピッチと記録線密度が切り換わる領域では、徐々にその数値を変えていくことが望ましい。図１０に本発明の構成を示す。図１０ではプリグルーブからプリピット列に切り換わる場合（ＰＭＡ領域からＬｉｎ領域に切り換わる場合）、トラックピッチ（ＴＰ）が徐々に広がりそして記録線密度も徐々に低下（ビットサイズ（ＢＬ）を長く）している。また、プリピット列からプリグルーブに切り換わる場合（Ｌｉｎ領域からプログラム領域に切り換わる場合）も、トラックピッチ（ＴＰ）が徐々に狭くなり、そして記録線密度も徐々に増加（ビットサイズ（ＢＬ）を短く）している。
また、前記切り換わり領域の記録線密度を徐々に変化させているので、記録再生用プレーヤ（ＲＡＭプレーヤ）が仮に光情報記録媒体のトラックピッチが切り換わる領域にシークしてしまった場合でも、プリフォーマット情報を全く再生できない最悪のケースは発生しにくくなる。
【００２３】
（構成▲８▼）
次に、原盤露光機の制御システムの構成例を図１１に示す。原盤露光機５の制御システムは、基準パルス生成器１２、ターンテーブル６の回転数を制御するＴＴ駆動パルス生成回路１３、トラックピッチの大きさを制御するキャリッジ７の横送りモータ駆動パルス生成回路１４、パルス変調器８を制御してプリピット列のパターンを生成するためのパターン信号発生回路１５、ウォブル偏向器９を制御してプリピット列とプリグルーブのウォブル量と信号パターンを生成するためのウォブル信号生成回路１６、対物レンズ１０のフォーカスアクチュエータを制御するフォーカスサーボ回路１７、レーザスケールユニット１９を制御してレジスト原盤２上での露光位置を検出する露光位置検出回路１８、及びこれらの回路を制御する中央処理装置（ＣＰＵ）１１で構成されている。また、ＴＴ駆動パルス生成回路１３、横送りモータ駆動パルス生成回路１４、パターン信号発生回路１５、ウォブル信号生成回路１６の４つの回路は、基準パルス生成器１２からの共通の基準信号で動作しており、これにより原盤露光時の回転・横送り・プリピット列のパターン・ウォブルのパターンの同期が取られる。
【００２４】
前述の構成▲７▼で説明した図１０の構成を実現するには、２つの原盤露光方法がある。一つは、プリピット列のパターンを生成するためのパターン信号とプリピット列及びプリグルーブを蛇行させるためのウォブル信号を一定の周波数で動作し、トラックピッチを変更させるためのキャリッジ７の横送りスピードとターンテーブル６の回転数（露光線速度）を変化させる方法である。この場合、溝形状を光情報記録媒体の面内で一定とするためには、露光線速度の変化に応じて露光するレーザの光量も変化させる必要がある。この方法のときの原盤露光時の各制御信号の構成を図１２に示す。尚、図１２の場合、光情報記録媒体の記録再生時に線速度一定方式を採用しているので、光情報記録媒体の半径位置に合わせて、ターンテーブル６の回転数を外周に向かって一様に下げている。
【００２５】
もう一つは、プリピット列のパターンを生成するためのパターン信号とプリピット列及びプリグルーブを蛇行させるためのウォブル信号、そしてトラックピッチを変化させるための横送りスピードを変化させる方法である。この場合は、露光線速度の変化がないため、露光するレーザの光量は一定でよい。この方法のときの原盤露光時の各制御信号の構成を図１３に示す。図１３では、プリピット列のパターンを生成するためのパターン信号とプリピット列及びプリグルーブを蛇行させるためのウォブル信号及びトラックピッチを変化させるための横送りスピードをＬｉｎ領域で変化させるが、この場合も光情報記録媒体の記録再生時に線速度一定方式を採用しているので、光情報記録媒体の半径位置に合わせて、ターンテーブル６の回転数を外周に向かって一様に下げている。
【００２６】
図１３で示したように、ウォブル信号を変化させるためには、共有している基準信号を基にウォブル信号の基準周波数を生成し、この周波数を変化させて変調の演算処理をする必要がある。プリピット列のパターンを作成するためのパターン信号も同じように、共有している基準信号を基にパターン信号の基準周波数を生成し、この周波数を変化させて変調の演算処理をする必要がある。しかし、これらの演算処理に要する時間が原盤露光するスピードに追いつかない可能性もある。そこで、この切り換わり領域のアドレスをインクリメントせずにホールド（固定）して出力し、Ｌｉｎ領域のプリフォーマット情報を演算するための準備時間に使う方が正確にＬｉｎ領域のプリフォーマット情報を生成することができる。また、Ｌｉｎからプログラムエリアに切り換わる場合も同じである。前記切り換わり領域のアドレスをホールドすることで、逆に記録再生プレーヤがアドレス情報から切り換わり領域を再生していることを知ることができる利点がある。
【００２７】
【実施例】
（実施例▲１▼）
本発明による光情報記録媒体の一実施例として、ＣＤ−Ｒを大容量化した場合の光情報記録媒体の実施例について説明する。光情報記録媒体のＰＣＡ、ＰＭＡ、プログラムエリアの各領域のトラックピッチＴＰ１は０．８μｍ、ウォブル振幅ＷＢ１は約２０ｎｍ、Ｌｉｎ領域のトラックピッチＴＰ２は１．６μｍ、ウォブル振幅ＷＢ２は約４０ｎｍである。また、プログラムエリアの記録線密度をＬｉｎ領域のプリピット列の記録線密度の２倍に構成することで、ＣＤ−Ｒの記録容量６５０メガバイドに対し、４倍の記憶容量（２．６ギガバイト）にすることができる。Ｌｉｎ領域の前後にあるトラックピッチと記録線密度の切り換わり部分は、徐々にトラックピッチと線密度が変化するようになっている。Ｌｉｎ領域には「プリピット列のパターン」と「プリピット列をウォブルさせる」の２つの手段で、プリフォーマット情報が記録されている。このプリフォーマット情報には、この光情報記録媒体がＣＤ−Ｒを大容量化したタイプであることを示す認識コードが入っている。このため、ＣＤ−Ｒ専用の記録再生プレーヤやＲＯＭ専用のプレーヤでも、この認識コードが再生でき、ＣＤ−Ｒを大容量化した光情報記録媒体であることが認識できる。この結果、誤って記録再生することなく、ＣＤ−Ｒを大容量化した光情報記録媒体を処理することが可能となる。尚、本実施例の光情報記録媒体の物理的フォーマットの構成は図７と同じである。
【００２８】
（実施例▲２▼）
実施例▲１▼の光情報記録媒体用スタンパの製造実施例について説明する。図１１に示した原盤露光機５の制御システムの構成で、レジスト原盤露光時のターンテーブル６の回転数を制御するＴＴ駆動パルス生成回路１３、トラックピッチの大きさを制御する横送りモータ駆動パルス生成回路１４、プリピット列のパターンを生成するためのパターン信号発生回路１５、プリピット列とプリグルーブのウォブル量と信号パターンを生成するためのウォブル信号生成回路１６の制御方法は、図１２で示す手段を用いた。本実施例では、Ｌｉｎ領域でトラックピッチを広げるために、Ｌｉｎ領域の横送り速度は他の領域の２倍となっている。また、Ｌｉｎ領域のピット列の記録線密度を下げるために、Ｌｉｎ領域の露光線速度（ターンテーブル６の回転数）を他の領域の２倍とした。
【００２９】
【発明の効果】
以上説明したように、前述の「課題を解決するための手段」の（１）に記載の光情報記録媒体では、プリフォーマット情報を、プリピット列のパターンとプリグルーブを蛇行状にウォブルさせ重畳するという２つの方法であらかじめ基板に形成しているので、プリピット列のパターンを信号再生する読み取り専用のＲＯＭプレーヤと、プリグルーブに重畳されたウォブル情報を基に記録再生する記録再生用のＲＡＭプレーヤの両方で前記プリフォーマット情報を再生することができる。
【００３０】
（２）（請求項１）に記載の光情報記録媒体では、（１）の構成及び効果に加えて、プリピット列で示されたアドレスとプリグルーブに重畳されたアドレスが連続しているので、記録再生用のＲＡＭプレーヤでプリグルーブに重畳されたプリフォーマット情報を基に記録したアドレス情報と連続性を保てる。このため、記録済みの光情報記録媒体を読み取り専用のＲＯＭプレーヤで再生することができる。
【００３１】
（４）に記載の光情報記録媒体では、（１）の構成及び効果に加えて、プリフォーマット情報を含むプリピット列のトラックピッチをプリグルーブのトラックピッチよりも広くしているので、プリピット列領域の記録密度が低く、記録再生のビームスポット径に対しプリフォーマット情報を再生しやすくできる。
【００３２】
（７）に記載の光情報記録媒体では、（１）の構成及び効果に加えて、プリフォーマット情報を含むプリピット列の記録線密度をプリグルーブの記録線密度よりも低くしているので、プリピット列領域の記録密度が低く、記録再生のビームスポット径に対しプリフォーマット情報を再生しやすくできる。
【００３３】
（１１）に記載の光情報記録媒体では、（１）の構成及び効果に加えて、プリフォーマット情報を含むプリピット列の記録線密度がプリグルーブの記録線密度よりも低く、尚且つプリピット列のトラックピッチがプリグルーブのトラックピッチよりも広いので、プリピット列領域の記録密度が低く、記録再生のビームスポット径に対しプリフォーマット情報を再生しやすくできる。
【００３４】
（３）（請求項２）に記載の光情報記録媒体では、（２）の構成及び効果に加えて、プリピット列のウォブル振幅をプリグルーブのウォブル振幅よりも大きくしているので、プリピット列で形成された領域でもウォブル信号のＣ／Ｎを下げることなく、プリフォーマット情報を正確に再生することができる。
【００３５】
（５）（請求項３）に記載の光情報記録媒体では、（４）の構成及び効果に加えて、トラックピッチが変化するプリピット列の前後の領域において、トラックピッチを徐々に変化させているので、原盤露光時の横送り制御の手段を容易にすることができる。
【００３６】
（６）（請求項４または１０）に記載の光情報記録媒体では、（４）または（５）の構成及び効果に加えて、トラックピッチが変化するプリピット列の前後の領域において、アドレスを固定しているので、原盤露光時のアドレス生成に関係するプリフォーマット信号処理手段を容易にすることができる。
【００３７】
（８）（請求項５）に記載の光情報記録媒体では、（７）の構成及び効果に加えて、トラックピッチが変化するプリピット列の前後の領域において、記録線密度を徐々に変化させているので、原盤露光時のデータ生成に関係するエンコード処理手段を容易にすることができる。
【００３８】
（９）（請求項６または１１）に記載の光情報記録媒体では、（７）または（８）の構成及び効果に加えて、プリピット列を蛇行させることにより重畳したプリフォーマット情報と、プリピット列のパターンで記録されたプリフォーマット情報の周波数に同期が取れているので、プリピット列のパターンを信号再生する読み取り専用のＲＯＭプレーヤとプリグルーブに重畳されたウォブル情報を基に記録再生する記録再生用のＲＡＭプレーヤの両方で前記プリフォーマット情報を再生することができる。
【００３９】
（１０）（請求項７または１２）に記載の光情報記録媒体では、（７）または（８）の構成及び効果に加えて、記録線密度が変化するプリピット列の前後の領域において、アドレスを固定しているので、原盤露光時のアドレス生成に関係するプリフォーマット信号処理手段を容易にすることができる。
【００４０】
（１２）（請求項８）に記載の光情報記録媒体では、（１１）の構成及び効果に加えて、記録線密度とトラックピッチが変化するプリピット列の前後の領域において、記録線密度とトラックピッチを徐々に変化させているので、原盤露光時の横送り制御の手段を容易にすることができ、且つ原盤露光時のデータ生成に関係するエンコード処理手段を容易にすることができる。
【００４１】
（１３）（請求項９または１３）に記載の光情報記録媒体では、（１１）または（１２）の構成及び効果に加えて、記録線密度とトラックピッチが変化するプリピット列の前後の領域において、アドレスを固定しているので、原盤露光時のアドレス生成に関係するプリフォーマット信号処理手段を容易にすることができる。
【００４２】
（１４）（請求項１４）に記載の光情報記録媒体の原盤露光方法では、（８）または（１２）（請求項５または８）の光情報記録媒体の原盤を露光する手段として、ウォブル信号とパターン信号を生成する周波数を固定し、露光線速度を変化させることにより、プリピット列の記録線密度を変化させることができるので、記録線密度の制御が容易である。
【００４３】
（１５）（請求項１５）に記載の光情報記録媒体の原盤露光方法では、（８）または（１２）（請求項５または８）の光情報記録媒体の原盤を露光する方法として、ウォブル信号とパターン信号を生成する周波数を変化させ、露光線速度を固定することにより、プリピット列の記録線密度を変化させることができるので、記録線密度の制御が容易である。
【図面の簡単な説明】
【図１】本発明に係る円盤状の光情報記録媒体のフォーマット及びプリピット列とプリグルーブの構成説明図である。
【図２】光情報記録媒体に記録されるウォブル信号のアドレスとプリピット列のアドレスの説明図である。
【図３】蛇行状にウォブルしたプリグルーブとプリピット列から信号再生されたプリフォーマット情報の信号の様子を示す図である。
【図４】蛇行状にウォブルしたプリグルーブとプリピット列のウォブル振幅（ＷＢ）とウォブル信号の大きさ（Ｉｗ）の関係を示す図である。
【図５】本発明に係る光情報記録媒体の物理的フォーマットの構成例を示す図である。
【図６】本発明に係る光情報記録媒体の物理的フォーマットの別の構成例を示す図である。
【図７】本発明に係る光情報記録媒体の物理的フォーマットのさらに別の構成例を示す図である。
【図８】光情報記録媒体を実際に製造する際の基板成型用金型（スタンパ）の製造工程を示すフロー図である。
【図９】本発明に係る光情報記録媒体のスタンパの製造時に用いられる原盤露光機の構成例を示す図である。
【図１０】本発明に係る光情報記録媒体の各領域でのトラックピッチ（ＴＰ）とビットサイズ（ＢＬ）の変化を示す図である。
【図１１】本発明に係る光情報記録媒体のスタンパの製造時に用いられる原盤露光機の制御システムの構成例を示す図である。
【図１２】本発明に係る光情報記録媒体の原盤露光方法の説明図であって、原盤露光時の各制御信号の構成を示す図である。
【図１３】本発明に係る光情報記録媒体の原盤露光方法の説明図であって、原盤露光時の各制御信号の別の構成を示す図である。
【図１４】従来の読み取り専用の光情報記録媒体のフォーマット及びプリピット列の構成説明図である。
【図１５】従来の記録可能な光情報記録媒体のフォーマット及びプリグルーブの構成説明図である。
【図１６】従来の蛇行状にウォブルされたプリグルーブの一例を示す図である。
【図１７】光情報記録媒体に記録されたプリフォーマット情報を再生する信号検出回路の一例を示す図である。
【符号の説明】
１      光情報記録媒体
２      レジスト原盤
２ａ    ガラス基板
２ｂ    フォトレジスト
３      Ｎｉ膜
４      スタンパ
５      原盤露光機
６      ターンテーブル
７      キャリッジ
８      パルス変調器
９      ウォブル偏向器
１０    対物レンズ
１１    中央処理装置（ＣＰＵ）
１２    基準パルス生成器
１３    ＴＴ駆動パルス生成回路
１４    横送りモータ駆動パルス生成回路
１５    パターン信号発生回路
１６    ウォブル信号生成回路
１７    フォーカスサーボ回路
１８    露光位置検出回路
１９    レーザスケールユニット
ＢＬ１  プリグルーブに記録される最小ピットのビットサイズ
ＢＬ２  プリピット列の最小ピットのビットサイズ
Ｉｗ１  プリグルーブのウォブル信号
Ｉｗ２  プリピット列のウォブル信号
ＴＰ１  プリグルーブのトラックピッチ
ＴＰ２  プリピット列のトラックピッチ
ＷＢ１  プリグルーブのウォブル振幅
ＷＢ２  プリピット列のウォブル振幅
【図１】
0003545893.tif 000002
【図２】
0003545893.tif 000003
【図３】
0003545893.tif 000004
【図４】
0003545893.tif 000005
【図５】
0003545893.tif 000006
【図６】
0003545893.tif 000007
【図７】
0003545893.tif 000008
【図８】
0003545893.tif 000009
【図９】
0003545893.tif 000010
【図１０】
0003545893.tif 000011
【図１１】
0003545893.tif 000012
【図１２】
0003545893.tif 000013
【図１３】
0003545893.tif 000014
【図１４】
0003545893.tif 000015
【図１５】
0003545893.tif 000016
【図１６】
0003545893.tif 000017
【図１７】
0003545893.tif 000018